(57)【特許請求の範囲】
【請求項１】
外部ネットワークからのパケットを受信する外部受信部、
内部ネットワークからのパケットを受信する内部受信部、
前記外部受信部と前記内部受信部で受信したパケットから、シグナリングプロ
トコルのセッション確立完了パケットの検出を行うリンク確立検出部、
前記リンク確立検出部で検出した前記セッション確立完了パケット内のアドレ
ス情報と内部ネットワークに収容している内部装置のアドレス情報を照合するリンク情報検出部、
前記リンク情報検出部の照合結果に基づき送信権情報を作成し、パケットの送信権を与える送信権管理部、
前記送信権情報を前記内部装置に送信する内部送信部を備え、
前記リンク確立検出部は、ＳＩＰ（Ｓｅｓｓｉｏｎ Ｉｎｉｔｉａｔｉｏｎ Ｐｒｏｔｏｃｏｌ）プロトコルのセッション確立完了パケット（ＡＣＫメッセージ）の検出を行い、また、
前記送信権管理部は、デフォルト送信間隔より短い間隔で、前記送信権情報を前記照合したアドレス情報を持つ前記内部装置へ送ることを特徴とする送信権管理装置。
【請求項２】
前記外部受信部と前記内部受信部で受信したパケットから、ＳＩＰプロトコルのセッション終了パケット（開放要求応答のＯＫメッセージ）の検出を行うリンク終了検出部を備え、
前記リンク情報検出部は、前記セッション終了パケット内のアドレス情報と内部ネットワークに収容している前記内部装置のアドレス情報を照合し、
前記送信権管理部は、前記セッション終了パケットに基づき、前記送信権の割当を止めることを示す前記送信権情報を前記照合したアドレス情報を持つ前記内部装置に送ることを特徴とする請求項１に記載の送信権管理装置。
【請求項３】
外部ネットワークからのパケットを受信する外部受信部、
内部ネットワークからのパケットを受信する内部受信部、
前記外部受信部と前記内部受信部で受信したパケットから、シグナリングプロ
トコルのセッション確立完了パケットの検出を行うリンク確立検出部、
前記リンク確立検出部で検出した前記セッション確立完了パケット内のアドレ
ス情報と内部ネットワークに収容している内部装置のアドレス情報とを照合するリンク情報検出部、
前記リンク情報検出部の照合結果に基づき送信権情報を作成し、パケットの送信権を与える送信権管理部、
前記送信権情報を前記内部装置に送信する内部送信部を備え、
前記リンク確立検出部は、勧告Ｈ．３２３のセッション確立完了パケット（Ｏｐｅｎ Ｌｏｇｉｃａｌ Ｃｈａｎｎｅｌ ＡＣＫメッセージ）の検出を行い、また、
前記送信権管理部は、デフォルト送信間隔より短い間隔で、前記送信権情報を前記照合したアドレス情報を持つ前記内部装置へ送ることを特徴とする送信権管理装置。
【請求項４】
前記外部受信部と前記内部受信部で受信したパケットから、勧告Ｈ．３２３のセッション終了パケット（Ｒｅｌｅａｓｅ ＡＣＫメッセージ）の検出を行うリンク終了検出部を備え、
前記リンク情報検出部は、前記セッション終了パケット内のアドレス情報と内部ネットワークに収容している前記内部装置のアドレス情報を照合し、
前記送信権管理部は、前記セッション終了パケットに基づき、送信権の割当を止めることを示す前記送信権情報を、前記照合したアドレス情報を持つ前記内部装置に送ることを特徴とする請求項３に記載の送信権管理装置。
【請求項５】
外部ネットワークからのパケットを受信する外部受信ステップ、
内部ネットワークからのパケットを受信する内部受信ステップ、
前記外部受信ステップと前記内部受信ステップで受信したパケットから、シグナリングプロトコルのセッション確立完了パケットの検出を行うリンク確立検出ステップ、
前記リンク確立検出ステップで検出した前記セッション確立完了パケット内のアドレス情報と内部ネットワークに収容している内部装置のアドレス情報を照合するリンク情報検出ステップ、
前記リンク情報検出ステップの照合結果に基づき送信権情報を作成し、パケットの送信権を与える送信権管理ステップ、
前記送信権情報を前記内部装置に送信する内部送信ステップを備え、
前記リンク確立検出ステップは、ＳＩＰ（Ｓｅｓｓｉｏｎ Ｉｎｉｔｉａｔｉｏｎ Ｐｒｏｔｏｃｏｌ）プロトコルのセッション確立完了パケット（ＡＣＫメッセージ）の検出を行い、また、
前記送信権管理ステップは、デフォルト送信間隔より短い間隔で、前記送信権情報を前記照合したアドレス情報を持つ前記内部装置へ送ることを特徴とする送信権管理方法。
【請求項６】
前記外部受信ステップと前記内部受信ステップで受信したパケットから、ＳＩＰプロトコルのセッション終了パケット（開放要求応答のＯＫメッセージ）の検出を行うリンク終了検出ステップを備え、
前記リンク情報検出ステップは、前記セッション終了パケット内のアドレス情報と内部ネットワークに収容している前記内部装置のアドレス情報を照合し、
前記送信権管理ステップは、前記セッション終了パケットに基づき、送信権の割当を止めることを示す前期送信権情報を前記照合したアドレス情報を持つ前記内部装置に送ることを特徴とする請求項５に記載の送信権管理方法。
【請求項７】
外部ネットワークからのパケットを受信する外部受信ステップ、
内部ネットワークからのパケットを受信する内部受信ステップ、
前記外部受信ステップと前記内部受信ステップで受信したパケットから、シグナリングプロトコルのセッション確立完了パケットの検出を行うリンク確立検出ステップ、
前記リンク確立検出ステップで検出した前記セッション確立完了パケット内のアドレス情報と内部ネットワークに収容している内部装置のアドレス情報を照合するリンク情報検出ステップ、
前記リンク情報検出ステップの照合結果に基づき送信権情報を作成し、パケットの送信権を与える送信権管理ステップ、
前記送信権情報を前記内部装置に送信する内部送信ステップを備え、
前記リンク確立検出ステップは、勧告Ｈ．３２３のセッション確立完了パケット（ＡＣＫメッセージ）の検出を行い、また、
前記送信権管理ステップは、デフォルト送信間隔より短い間隔で、前記送信権情報を前記照合したアドレス情報を持つ前記内部装置へ送ることを特徴とする送信権管理方法。
【請求項８】
前記外部受信ステップと前記内部受信ステップで受信したパケットから、勧告Ｈ．３２３のセッション終了パケット（Ｒｅｌｅａｓｅ ＡＣＫメッセージ）の検出を行うリンク終了検出ステップを備え、
前記リンク情報検出ステップは、前記リンク終了検出ステップで検出した前記
セッション終了パケット内のアドレス情報と内部ネットワークに収容している前記内部装置のアドレス情報を照合し、
前記送信権管理ステップは、前記セッション終了パケットに基づき、送信権の割当を止めることを示す前記送信権情報を前記照合したアドレス情報を持つ前記内部装置に送ることを特徴とする請求項７に記載の送信権管理方法。
【発明の詳細な説明】
【０００１】
【発明の属する技術分野】
本発明は、ケーブルモデム、同軸を利用した宅内ＬＡＮシステム等の伝送帯域を共有するパケット通信システムで、収容する装置に対してパケットの送信権を与える送信権管理装置に関して、特にリアルタイム性を要求されるパケット通信の送信権を管理することを可能にする送信権管理装置、および送信権管理方法に関する。
【０００２】
【従来の技術】
近年、ケーブルモデム、ＡＤＳＬ、ＦＴＴＨ等の急速な普及によるネットワークの高速化にともない複数の装置間で音声情報を高速に通信することが実用的にも可能になってきた。
【０００３】
特に、従来の電話による音声通信をデータ通信と統合し、ＩＰ通信により伝送するＶＯＩＰ（Voice over Internet Protocol）技術が開発され、製品として実現されてきている。
【０００４】
このＶＯＩＰ技術はインターネットで使用されているネットワーク層のプロトコルであるＩＰネットワーク網上で、音声を短い時間（例えば、２０ｍｓｅｃ程度）毎にフレームとし、ＩＰヘッダを付けてＩＰパケットとして送受信するものである。
【０００５】
一般に、従来の電話網による電話通話（音声通信）と比較して、ＶＯＩＰシステムにおける電話通話の方が低コストに運用できることから、急速に普及しつつある。
【０００６】
現状では、通話者間の約束事を決定するシグナリングプロトコルとしては、ＳＩＰやインターネット網内のサービスを定義したＩＴＵ−Ｔ勧告Ｈ．３２３がある。
【０００７】
以下に、従来の一般的なＶＯＩＰ通信を実現するシステムについて、図面を参照して具体的に説明する。
【０００８】
図３は従来例の一般的なＶＯＩＰ通信を実現するネットワークの構成図であり、ＶＯＩＰ端末３１とＶＯＩＰ端末３２がＩＰ網３３に接続されている。
【０００９】
図４は従来例の一般的なＶＯＩＰ端末の構成図であり、４１は音声信号をＩＰパケットに変換するＩＰパケット変換部、４２はＩＰパケットを音声信号に変換する音声変換部、４３はＩＰ網からパケットを受信するパケット受信部、４４はＩＰ網へパケットを送信するパケット送信部、４５はＩＰパケット処理を行うＩＰパケット処理部、４６はＴＣＰパケットを処理するＴＣＰパケット処理部、４７はＵＤＰパケットを処理するＵＤＰパケット処理部、４８はシグナリングプロトコルを処理するシグナリングプロトコル処理部、４９はシグナリングプロトコルパケットで伝送されるメディアタイプを処理するメディアタイプ処理部である。
【００１０】
以下に、ＩＰ網３３に接続するＶＯＩＰ端末３１とＶＯＩＰ端末３２間で、従来の一般的な音声通信する場合の動作について説明する。
【００１１】
ＶＯＩＰ端末３１からＶＯＩＰ端末３２へ音声通信を行う場合、まず、ＶＯＩＰ端末３１でＶＯＩＰ端末３２宛てのシグナリングプロトコルの送信処理が行われる。
【００１２】
シグナリングプロトコルパケットの送信処理は、シグナリングプロトコル処理部４８においてメディアタイプ処理部４９で生成されたシグナリングセッションで伝送されるメディアタイプを含むシグナリングプロトコルパケットが生成される。生成されたシグナリングプロトコルパケットは、ＴＣＰパケットで送信する場合はＴＣＰパケット処理部４６でＴＣＰプロトコルについての処理が行われる。
【００１３】
なお、ＴＣＰパケットに関する処理の詳細については、ＲＦＣ７９３「TRANSMISSION CONTROL PROTOCOL DARPA INTERNET PROGRAM PROTOCOL SPECIFICATION」に説明されているので、詳細な説明は省略する。
【００１４】
また、ＵＤＰパケットで送信する場合はＵＤＰパケット処理部４７でＵＤＰプロトコルについての処理が行われる。
【００１５】
なお、ＵＣＰパケットに関する処理の詳細については、ＲＦＣ７６８「User Datagram Protocol DARPA INTERNET PROGRAM PROTOCOL SPECIFICATION」に説明されているので、詳細な説明は省略する。
【００１６】
そして、ＩＰパケット処理部４５でＩＰプロトコルの処理が行われ、パケット送信部４４でＩＰ網３３へ送信する。
【００１７】
なお、ＩＰパケットに関する処理の詳細については、ＲＦＣ７９１「INTERNET PROTOCOL DARPA INTERNET PROGRAM PROTOCOL SPECIFICATION」に説明されているので、詳細な説明は省略する。
【００１８】
ＶＯＩＰ端末３２では、ＩＰ網３３からパケット受信部４３でパケットを受信し、ＩＰパケット処理部４５で、ＩＰパケットのプロトコルフィールド（８ビット）によりＩＰパケット内で運ばれる上位層プロトコルの識別処理が行われる。
【００１９】
次に、ＩＰパケット処理部４５で受信したシグナリングプロトコルパケットがＴＣＰパケットと識別された場合、ＴＣＰパケット処理部４６で、ＴＣＰパケットの送信元ポート（１６ビット）と送信先ポート（１６ビット）によりＴＣＰ内で運ばれる上位層プロトコルの識別処理が行われる。
【００２０】
また、ＩＰパケット処理部４５で受信したシグナリングプロトコルパケットがＵＤＰパケットと識別された場合、ＵＤＰパケット処理部４７で、ＵＤＰパケットの送信元ポート（１６ビット）と送信先ポート（１６ビット）によりＵＤＰ内で運ばれる上位層プロトコルの識別処理が行われる。
【００２１】
そして、ＴＣＰパケット処理部４６かＵＤＰパケット処理部４７でシグナリングプロトコルパケットと識別された場合、シグナリングプロトコル処理部４８でシグナリングプロトコルについての処理が行われる。さらに、シグナリングプロトコルパケットのシグナリングセッションで伝送されるメディアタイプについての処理はメディアタイプ処理部４９で行われる。
【００２２】
同様の方法で、ＶＯＩＰ端末３２からＶＯＩＰ端末３１へのシグナリングプロトコルパケットの送信処理も行われ、ＶＯＩＰ端末３１とＶＯＩＰ端末３２間でのシグナリングを行う。
【００２３】
シグナリングプロトコルとして、ＳＩＰプロトコル(Session Initiation Protocol)を使用する場合の処理シーケンスは、たとえば図５に示す様になる。
【００２４】
具体的には、ＶＯＩＰ端末３１は、ＶＯＩＰ通信で使用可能な条件（ＶＯＩＰ端末３１の音声符号化方式、ＩＰアドレス及びポート番号等）を含めて接続の設定要求としてＶＯＩＰ端末３２にＶＯＩＰ端末３２のＩＰアドレスを宛先とし、Inviteメッセージ（５１）を送信する。
【００２５】
この場合、ＶＯＩＰ端末３１はＶＯＩＰ端末３２のＩＰアドレスを知る必要があるが、ここでは説明を簡単化するため、ＩＰアドレスを予め知っていると仮定する。ＩＰアドレスを知らない場合におけるＩＰアドレスの入手法は、従来より実現手段がよく知られており、ＳＩＰドキュメント内にも説明されている。
【００２６】
ＶＯＩＰ端末３２はこのInviteメッセージ（５１）を受信すると接続を行えるか判定を行い、接続を行なえる場合にはＶＯＩＰ端末３２側の接続条件（音声符号化方式、ポート番号等）をOKメッセージ（５２）でＶＯＩＰ端末３１に送信する。ＶＯＩＰ端末３１はOKメッセージ（５２）の受信確認のためACKメッセージ（５３）をＶＯＩＰ端末３２に送信する。以上の手順によってＶＯＩＰ端末３１とＶＯＩＰ端末３２間でＶＯＩＰ通信を行う為の情報が双方で揃った事になる。
【００２７】
その後、双方のＶＯＩＰ端末３１、３２は相手先ＩＰアドレスと上記手順で入手した相手先ポート番号を宛先として音声信号の送出を始める。
【００２８】
ＶＯＩＰ端末３１、３２のどちらかが、接続されていた呼を解放するには、相手側のＶＯＩＰ端末に対して解放要求のByeメッセージ（５４）を送出し、音声送出を停止する。また、相手ＶＯＩＰ端末はByeメッセージ（５４）を受信すれば、音声送出を停止し、解放要求応答のOKメッセージ（５５）を送出する。これによって呼の接続で使用されていたリソースが解放され、呼の接続を終了する事ができる。
【００２９】
解放を要求したＶＯＩＰ端末は一定時間内に解放要求応答のOKメッセージ（５５）を受信できなければ、解放要求のByeメッセージ（５４）を再度送出する。
これによって、メッセージが紛失した場合でも呼の接続を確実に解放する事ができる。
【００３０】
また、シグナリングプロトコルとして、ＩＴＵ−Ｔ勧告Ｈ．３２３を使用する場合の処理シーケンスは、たとえば図６に示す様になる。
【００３１】
具体的には、ＶＯＩＰ端末３１は、ＶＯＩＰ端末３２にＶＯＩＰ端末３２のＩＰアドレスを宛先とし、呼設定要求のSetupメッセージ（６１）を送出する。
【００３２】
この場合、ＶＯＩＰ端末３１はＶＯＩＰ端末３２のＩＰアドレスを知る必要があるが、上記のＳＩＰと同様に、ここでは説明を簡単化するため、ＩＰアドレスを予め知っていると仮定する。ＩＰアドレスを知らない場合におけるＩＰアドレスの入手法は、従来より実現手段がよく知られており、ＩＴＵ−Ｔ勧告Ｈ．３２３ドキュメント内にも説明されている。
【００３３】
ＶＯＩＰ端末３２は、ＶＯＩＰ端末３１からの呼設定要求のSetupメッセージ（６１）を受信すると接続できるか否かを判定し、接続できれば、端末Ａに対してポート番号等含む応答のConnectメッセージ（６２）を返す。端末Ａは応答のConnectメッセージ（６２）を受信すると、接続の合意が相手端末と取れたことを認識する。
【００３４】
つぎに、ＶＯＩＰ端末３１は、ＶＯＩＰ通信で使用可能な条件（ＶＯＩＰ端末３１の音声符号化方式、ポート番号等）を含めて接続の設定要求を上記手順で通知されたＶＯＩＰ端末３１のＩＰアドレスとポート番号を宛先としてOpen Logical channelメッセージ（６３）を送出する。 ＶＯＩＰ端末３２は、そのメッセージを受信するとＶＯＩＰ端末３２側での音声符号化方式がその要求された符号化方式と合致するか等を判定し、音声通信が可能であればＩＰアドレスと音声のポート番号等の音声通信に必要な情報(Open Logical channel Ackメッセージ（６４）をＶＯＩＰ端末３１に送出する。
【００３５】
以上により、ＶＯＩＰ端末３１，３２間で音声通信する為の情報が双方で揃った事になる。
【００３６】
ＶＯＩＰ端末３１，３２のどちらかが、接続されていた呼を解放するには、相手側のＶＯＩＰ端末に対して解放要求のReleaseメッセージ（６５）を送出し、音声の送出停止を指示する。また、相手端末はReleaseメッセージ（６５）を受信すれば、音声送出の停止を指示し、解放要求応答のRelease Ackメッセージ（６６）を送出する。これによって呼の接続で使用されていたリソースが解放され、呼の接続を終了する事ができる。
【００３７】
解放を要求したＶＯＩＰ端末は一定時間内に解放要求応答のRelease Ackメッセージ（６６）を受信できなければ、解放要求のReleaseメッセージ（６５）を再度送出する。これによって、Release Ackメッセージが紛失した場合でも呼の接続を確実に解放する事ができる。
【００３８】
以上のように従来のＶＯＩＰ通信において、ＶＯＩＰ端末は端末間で制御信号を送受して接続を行なう。この場合、ＶＯＩＰ端末はＩＰ網に接続されていれば良く、従って、電話業者に依存せず接続制御を行なわせることができ、フレキシブルなサービスを提供できる利点がある。また、ＶＯＩＰ通信を実現する為の機能がＩＰ網のデータ通信を実現する為の機能と共通に利用可能であり、サービス実現の為のコストを削減できる。
【００３９】
また、従来の技術としては特許文献１があったが、これは音声のＩＰ化を端末内で行なわず、ＩＰネットワーク網の近くに集中設置した装置で行なうことで、ＩＰパケットの遅延等による音声品質の劣化を回避する技術を開示している。
【００４０】
【特許文献１】
特開２００２−１４１９３８号公報
【００４１】
【発明が解決しようとする課題】
しかし、上記のような従来のＶＯＩＰ通信システムでは、人間は音声品質について敏感であり、ＩＰパケットの遅延等による音声品質の劣化を避けるためには、高品質な通信が必要である。しかし、従来はＩＰパケットの遅延に対する対策が不十分であり高品質な音声通信ができない問題がある。特に、ケーブルモデム等のパケット通信システムでは、帯域を共有するため、ＩＰパケットの遅延による音声品質劣化が大きい。
【００４２】
また、帯域を共有する区間で音声通信のようなリアルタイム性を要求するパケット通信を行うために帯域割当を行う場合、帯域を共有する区間内で、パケットの解析処理や帯域割当の処理による処理負荷が増大し、効率的な通信ができないという課題があった。
【００４３】
本発明は、上記問題点に鑑み、帯域を共有する区間内で、帯域を共有する区間内のパケットの送信権を管理する送信権管理装置で、シグナリングプロトコルのセッション確立完了／終了パケットの検出からパケットの送信権を管理することによりパケット解析と帯域割当での処理負荷の削減を図り、高品質のパケット通信を提供することを目的とする。
【００４４】
【課題を解決するための手段】
以上のような課題を解決するために第１の発明は、外部ネットワークからのパケットを受信する外部受信部、内部ネットワークからのパケットを受信する内部受信部、前記外部受信部と前記内部受信部で受信したパケットから、シグナリングプロトコルのセッション確立完了パケットの検出を行うリンク確立検出部、前記リンク確立検出部で検出した前記セッション確立完了パケット内のアドレス情報と内部ネットワークに収容している内部装置のアドレス情報を照合するリンク情報検出部、前記リンク情報検出部の照合結果に基づき送信権情報を作成し、パケットの送信権を与える送信権管理部、前記送信権管理部で作成した前記送信権情報を前記内部装置に送信する内部送信部を備え、前記リンク確立検出部は、ＳＩＰ（Ｓｅｓｓｉｏｎ Ｉｎｉｔｉａｔｉｏｎ Ｐｒｏｔｏｃｏｌ）プロトコルのセッション確立完了パケット（ＡＣＫメッセージ）の検出を行い、また、前記送信権管理部は、デフォルト送信間隔より短い間隔で、前記送信権情報を前記照合したアドレス情報を持つ前記内部装置へ送ることを特徴とする送信権管理装置である。
【００４５】
第２の発明は、前記外部受信部と前記内部受信部で受信したパケットから、ＳＩＰプロトコルのセッション終了パケット（開放要求応答のＯＫメッセージ）の検出を行うリンク終了検出部を備え、前記リンク情報検出部は、前記セッション終了パケット内のアドレス情報と内部ネットワークに収容している前記内部装置のアドレス情報を照合し、前記送信権管理部は、前記セッション終了パケットに基づき、前記送信権の割当を止めることを示す前記送信権情報を前記照合したアドレス情報を持つ前記内部装置に送ることを特徴とする第１の発明に記載の送信権管理装置である。
【００４６】
第３の発明は、外部ネットワークからのパケットを受信する外部受信部、内部ネットワークからのパケットを受信する内部受信部、前記外部受信部と前記内部受信部で受信したパケットから、シグナリングプロトコルのセッション確立完了パケットの検出を行うリンク確立検出部、前記リンク確立検出部で検出した前記セッション確立完了パケット内のアドレス情報と内部ネットワークに収容している内部装置のアドレス情報とを照合するリンク情報検出部、前記リンク情報検出部の照合結果に基づき送信権情報を作成し、パケットの送信権を与える送信権管理部、前記送信権情報を前記内部装置に送信する内部送信部を備え、前記リンク確立検出部は、勧告Ｈ．３２３のセッション確立完了パケット（Ｏｐｅｎ Ｌｏｇｉｃａｌ Ｃｈａｎｎｅｌ ＡＣＫメッセージ）の検出を行い、また、前記送信権管理部は、デフォルト送信間隔より短い間隔で、前記送信権情報を前記照合したアドレス情報を持つ前記内部装置へ送ることを特徴とする送信権管理装置である。
【００４７】
第４の発明は、前記外部受信部と前記内部受信部で受信したパケットから、勧告Ｈ．３２３のセッション終了パケット（Ｒｅｌｅａｓｅ ＡＣＫメッセージ）の検出を行うリンク終了検出部を備え、前記リンク情報検出部は、前記セッション終了パケット内のアドレス情報と内部ネットワークに収容している前記内部装置のアドレス情報を照合し、前記送信権管理部は、前記セッション終了パケットに基づき、前記送信権の割当を止めることを示す前記送信権情報を、前記照合したアドレス情報を持つ前記内部装置に送ることを特徴とする第３の発明に記載の送信権管理装置である。
【００４８】
第５の発明は、外部ネットワークからのパケットを受信する外部受信ステップ、
内部ネットワークからのパケットを受信する内部受信ステップ、前記外部受信ステップと前記内部受信ステップで受信したパケットから、シグナリングプロトコルのセッション確立完了パケットの検出を行うリンク確立検出ステップ、前記リンク確立検出ステップで検出した前記セッション確立完了パケット内のアドレス情報と内部ネットワークに収容している内部装置のアドレス情報を照合するリンク情報検出ステップ、前記リンク情報検出ステップの照合結果に基づき送信権情報を作成し、パケットの送信権を与える送信権管理ステップ、前記送信権情報を前記内部装置に送信する内部送信ステップを備え、前記リンク確立検出ステップは、ＳＩＰ（Ｓｅｓｓｉｏｎ Ｉｎｉｔｉａｔｉｏｎ Ｐｒｏｔｏｃｏｌ）プロトコルのセッション確立完了パケット（ＡＣＫメッセージ）の検出を行い、また、前記送信権管理ステップは、デフォルト送信間隔より短い間隔で、前記送信権情報を前記照合したアドレス情報を持つ前記内部装置へ送ることを特徴とする送信権管理方法である。
【００４９】
第６の発明は、前記外部受信ステップと前記内部受信ステップで受信したパケットから、ＳＩＰプロトコルのセッション終了パケット（開放要求応答のＯＫメッセージ）の検出を行うリンク終了検出ステップを備え、前記リンク情報検出ステップは、前記セッション終了パケット内のアドレス情報と内部ネットワークに収容している前記内部装置のアドレス情報を照合し、前記送信権管理ステップは、前記セッション終了パケットに基づき、前記送信権の割当を止めることを示す前期送信権情報を、前記照合したアドレス情報を持つ前記内部装置に送ることを特徴とする第５の発明に記載の送信権管理方法である。
【００５０】
第７の発明は、外部ネットワークからのパケットを受信する外部受信ステップ、内部ネットワークからのパケットを受信する内部受信ステップ、前記外部受信ステップと前記内部受信ステップで受信したパケットから、シグナリングプロトコルのセッション確立完了パケットの検出を行うリンク確立検出ステップ、前記リンク確立検出ステップで検出した前記セッション確立完了パケット内のアドレス情報と内部ネットワークに収容している内部装置のアドレス情報を照合するリンク情報検出ステップ、前記リンク情報検出ステップの照合結果に基づき送信権情報を作成し、パケットの送信権を与える送信権管理ステップ、前記送信権情報を前記内部装置に送信する内部送信ステップを備え、前記リンク確立検出ステップは、勧告Ｈ．３２３のセッション確立完了パケット（ＡＣＫメッセージ）の検出を行い、また、前記送信権管理ステップは、デフォルト送信間隔より短い間隔で、前記送信権情報を前記照合したアドレス情報を持つ前記内部装置へ送ることを特徴とする送信権管理方法である。
【００５１】
第８の発明は、前記外部受信ステップと前記内部受信ステップで受信したパケットから、勧告Ｈ．３２３のセッション終了パケット（Ｒｅｌｅａｓｅ ＡＣＫメッセージ）の検出を行うリンク終了検出ステップを備え、前記リンク情報検出ステップは、前記リンク終了検出ステップで検出した前記セッション終了パケット内のアドレス情報と内部ネットワークに収容している前記内部装置のアドレス情報を照合し、前記送信権管理ステップは、前記セッション終了パケットに基づき、前記送信権の割当を止めることを示す前記送信権情報を、前記照合したアドレス情報を持つ前記内部装置に送ることを特徴とする第７の発明に記載の送信権管理方法である。
【００５２】
【発明の実施の形態】
以下、図面に基づいて、本発明の実施の形態を説明する。
【００５３】
図１は本発明の実施の形態の送信権管理装置の構成ブロック図である。
【００５４】
図において、１１は外部ネットワークからのパケットを受信する外部受信部、１２は内部ネットワークからのパケットを受信する内部受信部、１３は外部受信部１１と内部受信部１２で受信したパケットにおいて、シグナリングプロトコルのセッション確立完了パケットの検出とセッション終了パケットの検出とを行うリンク確立／終了検出部、１４はリンク確立／終了検出部１３で検出したセッション確立完了パケットとセッション終了パケット内のアドレス情報と内部ネットワークに収容している装置のアドレス情報との照合を行うリンク情報検出部、１５はリンク情報検出部１４で内部ネットワークに収容している適合した装置に、リンク確立／終了検出部１３で検出したパケットがセッション確立完了パケットの場合、標準コーデック方式のデフォルト送信間隔より短い間隔でパケットの送信権を与え、リンク確立／終了検出部１３で検出したパケットがセッション終了パケットの場合、パケットの送信権の割当を止める送信権管理部、１６は送信権管理部１５で割り当てられた送信間隔で内部ネットワークに収容している適合した装置にパケットの送信権を送信する内部送信部である。
【００５５】
図２は本発明の実施の形態のパケット通信システムの構成ブロック図である。
【００５６】
図において、２１は外部ネットワーク、２２は内部ネットワーク、２３は内部ネットワークのパケットの送信権を管理する送信権管理装置、２４１〜２４ｎは外部ネットワーク２１に接続するＶＯＩＰ端末、２５１〜２５ｎは内部ネットワーク２２に接続するＶＯＩＰ端末、２６は帯域共用通信システムである。
【００５７】
送信権管理装置２３での動作の一例として、外部ネットワーク２１上のＶＯＩＰ端末２４１と内部ネットワーク２２上のＶＯＩＰ端末２５１がＳＩＰプロトコルを使って音声通信する場合について具体例を用いて説明する。
【００５８】
ＳＩＰプロトコルを使用する場合の処理シーケンスは、例えば、従来例の図５と同一の処理シーケンス構成であり、その説明を省略する。
【００５９】
送信権管理装置２３は、外部受信部１１により外部ネットワーク２１からパケットを受信する。また、内部受信部１２により内部ネットワーク２２からパケットを受信する。受信したパケットは、リンク確立／終了検出部１３でシグナリングプロトコルのセッション確立完了パケット（ACKメッセージ（５３））とセッション確立終了パケット（解放要求応答のOKメッセージ（５５））の検出を行う。
【００６０】
セッション確立完了パケットを検出した場合、リンク情報検出部１４で、検出したセッション確立完了パケット内（ACKメッセージ（５３））のアドレス情報（パケットを外部ネットワーク２１から受信した場合は宛先ＩＰアドレス、内部ネットワーク２２から受信した場合は送信元ＩＰアドレス）と内部ネットワーク２２に収容しているＶＯＩＰ装置（２５１〜２５ｎ）のアドレス情報（ＩＰアドレス）との照合を行う。
【００６１】
ＶＯＩＰ装置２４１からＶＯＩＰ装置２５１へのリンク確立検出の場合、送信権管理部１５は、ＶＯＩＰ装置２５１に標準コーデック方式（例えば、勧告Ｇ．７１１、Ｇ７２３．１、Ｇ．７２６、Ｇ．７２８、Ｇ．７２９の場合）のデフォルト送信間隔（２０ｍｓ）より短い間隔で内部ネットワーク２２へのパケットの送信権を与える。
【００６２】
そして、内部送信部１６により、送信権管理部１５で割り当てられた送信間隔でＶＯＩＰ装置２５１にパケットの送信権を通知する情報を送信する。
【００６３】
また、セッション確立完了パケットを検出した場合、検出したセッション確立終了パケット（解放要求応答のOKメッセージ（５５））のアドレス情報（パケットを外部ネットワーク２１から受信した場合は宛先ＩＰアドレス、内部ネットワーク２２から受信した場合は送信元ＩＰアドレス）と内部ネットワーク２２に収容しているＶＯＩＰ装置（２５１〜２５ｎ）のアドレス情報（ＩＰアドレス）との照合を行う。
【００６４】
ＶＯＩＰ装置２４１からＶＯＩＰ装置２５１へのリンク確立終了検出の場合、送信権管理部１５は、ＶＯＩＰ装置２５１に対しての内部ネットワークへのパケット送信権の割当を止める。
【００６５】
送信権管理装置２３での動作の一例として、外部ネットワーク２１上のＶＯＩＰ端末２４１と内部ネットワーク２２上のＶＯＩＰ端末２５１がＩＴＵ−Ｔ勧告Ｈ．３２３を使って音声通信する場合について具体例を用いて説明する。
【００６６】
ＩＴＵ−Ｔ勧告Ｈ．３２３を使用する場合の処理シーケンスは、例えば、従来例の図６と同一の処理シーケンス構成であり、その説明を省略する。
【００６７】
送信権管理装置２３は、外部受信部１１により外部ネットワーク２１からパケットを受信する。また、内部受信部１２により内部ネットワーク２２からパケットを受信する。受信したパケットは、リンク確立／終了検出部１３でシグナリングプロトコルのセッション確立完了パケット(Open Logical channel Ackメッセージ（６４）)とセッション確立終了パケット（Release Ackメッセージ（６６））の検出を行う。
【００６８】
セッション確立完了パケットを検出した場合、リンク情報検出部１４で、検出したセッション確立完了パケット内(Open Logical channel Ackメッセージ（６４）)のアドレス情報（パケットを外部ネットワーク２１から受信した場合は送信先ＩＰアドレス、内部ネットワーク２２から受信した場合は宛先ＩＰアドレス）と内部ネットワーク２２に収容しているＶＯＩＰ装置（２５１〜２５ｎ）のアドレス情報（ＩＰアドレス）との照合を行う。
【００６９】
ＶＯＩＰ装置２４１からＶＯＩＰ装置２５１へのリンク確立検出の場合、送信権管理部１５は、ＶＯＩＰ装置２５１に標準コーデック方式（例えば、勧告Ｇ．７１１、Ｇ７２３．１、Ｇ．７２６、Ｇ．７２８、Ｇ．７２９の場合）のデフォルト送信間隔（２０ｍｓ）より短い間隔で内部ネットワーク２２へのパケットの送信権を与える。
【００７０】
そして、内部送信部１６により、送信権管理部１５で割り当てられた送信間隔でＶＯＩＰ装置２５１にパケットの送信権を通知する情報を送信する。
【００７１】
また、セッション確立完了パケットを検出した場合、検出したセッション確立終了パケット（Release Ackメッセージ（６６））のアドレス情報（パケットを外部ネットワーク２１から受信した場合は宛先ＩＰアドレス、内部ネットワーク２２から受信した場合は送信元ＩＰアドレス）と内部ネットワーク２２に収容しているＶＯＩＰ装置（２５１〜２５ｎ）のアドレス情報（ＩＰアドレス）との照合を行う。
【００７２】
ＶＯＩＰ装置２４１からＶＯＩＰ装置２５１へのリンク確立終了検出の場合、送信権管理部１５は、ＶＯＩＰ装置２５１に対しての内部ネットワーク２２へのパケットの送信権の割当を止める。
【００７３】
このようにして、音声通信時に通信を行っている内部ネットワーク２２のＶＯＩＰ装置２５１に対してのパケットの送信権を管理し、ＶＯＩＰ端末２４１とＶＯＩＰ装置２５１の間で音声通信を行なっている。
【００７４】
なお、本発明は音声（ＶＯＩＰ）通信の場合について説明を行ったが、音声通信に絞って説明することがより理解しやすいためであり、音声通信を含む一般のメディア通信に適用する事を目的としている。音声通信もメディア通信の一つの形態であるため、その拡張は容易に理解可能である。すなわち、本発明は音声（ＶＯＩＰ）通信に限定するものではない。
【００７５】
以上のように、本実施の形態によれば、帯域を共有する区間内で、帯域を共有する区間内のパケットの送信権を管理する送信権管理装置で、シグナリングプロトコルのセッション確立完了／終了パケットの検出からパケットの送信権を管理することによりパケット解析と帯域割当での処理負荷の削減を図り、高品質のメディア通信を行える。
【００７６】
【発明の効果】
本発明によれば、送信権管理装置でパケット受信を行った際に、シグナリングプロトコルのセッション確立完了／終了パケットの検出することでパケットの送信権を管理することにより、ＩＰパケットの遅延等による伝送品質の劣化を避けることにより、高品質で伝送効率の高いメディア通信が可能となる。
【図面の簡単な説明】
【図１】本発明の実施の形態の送信権管理装置の構成ブロック図
【図２】本発明の実施の形態のパケット通信システムの構成ブロック図
【図３】従来例の一般的なＶＯＩＰ通信を実現するネットワークの構成図
【図４】従来例の一般的なＶＯＩＰ端末の構成図
【図５】ＳＩＰプロトコルを使用する場合の処理シーケンスを示す図
【図６】ＩＴＵ−Ｔ勧告Ｈ．３２３を使用する場合の処理シーケンスを示す図
【符号の説明】
１１  外部受信部
１２  内部受信部
１３  リンク確立／終了検出部
１４  リンク情報検出部
１５  送信権管理部
１６  内部送信部
２１  外部ネットワーク
２２  内部ネットワーク
２３  送信権管理装置
２６  帯域共用通信システム
３１、３２、２４１〜２４ｎ、２５１〜２５ｎ  ＶＯＩＰ端末
３３  ＩＰ網
４１  ＩＰパケット変換部
４２  音声変換部
４３  パケット受信部
４４  パケット送信部
４５  ＩＰパケット処理部
４６  ＴＣＰパケット処理部
４７  ＵＤＰパケット処理部
４８  シグナリングプロトコル処理部
４９  メディアタイプ処理部
５１  Inviteメッセージ
５２、５５  OKメッセージ
５３  ACKメッセージ
５４  Byeメッセージ
６１  Setupメッセージ
６２  Connectメッセージ
６３  Open Logical channelメッセージ
６４  Open Logical channel Ackメッセージ
６５  Releaseメッセージ
６６  Release Ackメッセージ
【図１】
0003695453.tif 000002
【図２】
0003695453.tif 000003
【図３】
0003695453.tif 000004
【図４】
0003695453.tif 000005
【図５】
0003695453.tif 000006
【図６】
0003695453.tif 000007